(57)【要約】【課題】加振用駆動モ−タの容量を小さくすることができると共に装置の設置に必要なスペ−スが少なくて済む振動式砂鋳型バラシ装置を提供する。【解決手段】上部を開放させたホッパを吊設したフレ−ムと、該フレ−ムにおける支柱の途中位置に介在された防振手段と、多数の開口部を有すると共に前記ホッパの開放上部を覆うようにして配設された受け部材と、前記ホッパに連結され、回転軸が同一水平軸線上に位置するように対向して配置された一対のアンバランスウェイト式振動モ−タと、を具備し、前記一対のアンバランスウェイト式振動モ−タを同一回転方向に回転させることによってリサ−ジュ図形が略円を描くような振動を発生させる。【選択図】    図  １
2004337876.tif 000002
【特許請求の範囲】
【請求項１】
上部を開放させたホッパを吊設したフレ−ムと、該フレ−ムにおける支柱の途中位置に介在された防振手段と、多数の開口部を有すると共に前記ホッパの開放上部を覆うようにして配設された受け部材と、前記ホッパに連結され、回転軸が同一水平軸線上に位置するように対向して配置された一対のアンバランスウェイト式振動モ−タと、を具備し、前記一対のアンバランスウェイト式振動モ−タを同一回転方向に回転させることによってリサ−ジュ図形が略円を描くような振動を発生させることを特徴とする振動式砂鋳型バラシ装置。
【請求項２】
前記一対のアンバランスウェイト式振動モータが前記防振手段よりも下方に位置されていることを特徴とする請求項１記載の振動式砂鋳型バラシ装置。
【請求項３】
前記ホッパ内に、前記受け部材の開口部より小さい面積の開口部を多数穿設した部材を配設したことを特徴とする請求項１又は２のいずれかに記載の振動式砂鋳型バラシ装置。
【請求項４】
前記ホッパ内に、スリット状の開口部を多数穿設した部材を配設したことを特徴とする請求項１又は２のいずれかに記載の振動式砂鋳型バラシ装置。
【発明の詳細な説明】
【０００１】
【発明の属する技術分野】
本発明は、振動式で砂鋳型（例えば、自硬性砂鋳型、生砂鋳型等）の鋳型バラシを行う装置に関する。
【０００２】
【従来の技術】
従来の振動式砂鋳型バラシ装置としては、上下に振動する加振体の上に鋳枠を直接載置し、加振体を上下に強制的に振動させることで鋳枠内の砂鋳型を加振破砕して鋳枠から砂鋳型を分離させるものが公知にされている（例えば、特許文献１参照）。
【０００３】
【特許文献１】
実開昭５７−１１６３６６号公報（第１頁、第１図）
【０００４】
【発明が解決しようとする課題】
しかし、上記のような振動式砂鋳型バラシ装置では、鋳枠を上下に振動させる（縦振動）方法で加振して鋳型バラシを行っているため、大きな容量の加振用駆動モ−タが必要になると共に装置の設置に必要なスペ−スが多くなってしまうという問題がある。
【０００５】
本発明は上記の問題に鑑みて成されたもので、加振用駆動モ−タの容量を小さくすることができると共に装置の設置に必要なスペ−スが少なくて済む振動式砂鋳型バラシ装置を提供することを目的とする。
【０００６】
【課題を解決するための手段】
上記の目的を達成するために本発明における振動式砂鋳型バラシ装置は、上部を開放させたホッパを吊設したフレ−ムと、該フレ−ムにおける支柱の途中位置に介在された防振手段と、多数の開口部を有すると共に前記ホッパの開放上部を覆うようにして配設された受け部材と、前記ホッパに連結され、回転軸が同一水平軸線上に位置するように対向して配置された一対のアンバランスウェイト式振動モ−タと、を具備し、前記一対のアンバランスウェイト式振動モ−タを同一回転方向に回転させることによってリサ−ジュ図形が略円を描くような振動を発生させることを特徴とする。
【０００７】
また本発明における振動式砂鋳型バラシ装置は、前記一対のアンバランスウェイト式振動モータが前記防振手段よりも下方に位置されていることを特徴とする。
【０００８】
さらに本発明における振動式砂鋳型バラシ装置は、前記ホッパ内に、前記受け部材の開口部より小さい面積の開口部を多数穿設した部材を配設したことを特徴とする。
【０００９】
さらに本発明における振動式砂鋳型バラシ装置は、前記ホッパ内に、スリット状の開口部を多数穿設した部材を配設したことを特徴とする。
【００１０】
なお本発明においてリサ−ジュ図形が略円を描くような振動とは、水平方向をＸ、垂直方向をＹと仮定したとき、ＸとＹの振幅が同じで、ＸとＹの位相が９０°ずれた場合に略円を描く振動のことをいう。
【００１１】
【発明の実施の形態】
以下、本発明の実施の形態を図面に基づいて詳しく説明する。図１において、フレ−ム１の内側には、上部を開放させた漏斗形状のホッパ２が吊設されており、前記フレ−ム１における支柱１ａ、１ａの途中位置には防振手段としての空気ばね３、３が介在されている。
【００１２】
また前記ホッパ２の開放上部には、多数の開口部４ａ、４ａを有する格子状の受け部材４が該ホッパ２の開放上部を覆うようにして配設されており（図３参照）、前記ホッパ２の下位部両外側には一対のアンバランスウェイト式振動モ−タ５、５が、該ホッパ２の下部に取り付けられた連結部材６を介して連結されている。なお該一対のアンバランスウェイト式振動モ−タ５、５は、回転軸が同一水平軸線上に位置するように対向して配置されていると共に、同一回転方向（本実施形態では図２矢印方向）に回転させることによってリサ−ジュ図形が略円を描くような振動を発生させる。また前記ホッパ２は下位部に砂排出口２ａを有している。
【００１３】
このように構成されたものの作動について説明する。まず図１に示すように、鋳枠付き砂鋳型Ｆを受け部材４上に載置させる。そして、一対のアンバランスウェイト式振動モ−タ５、５を同一回転方向に等速度で回転させると、一対のアンバランスウェイト式振動モ−タ５、５の各々に内蔵されたアンバランスウェイト（図示せず）の回転によってリサ−ジュ図形が略円を描くような振動が発生する。そうすると、フレ−ム１において空気ばね３、３で支持している部分、受け部材４、ホッパ２及び連結部材６が、リサ−ジュ図形が略円を描くように振動され、この振動が鋳枠付き砂鋳型Ｆに伝わって鋳枠内の砂鋳型が崩壊されて鋳型バラシが成される。なお、この際、上述したようにフレ−ム１における支柱１ａ、１ａの途中位置に防振手段としての空気ばね３、３が介在されているため、該支柱１ａ、１ａにおいて前記空気ばね３、３より下に設置している部分には振動が伝わらないようになっている。
【００１４】
そして、この振動を続けると、崩壊された砂鋳型は次第に前記受け部材４の開口部４ａ、４ａよりも小さくなって該開口部４ａ、４ａからホッパ２内に落下し、砂排出口２ａから図示されない砂搬送手段に排出される。
【００１５】
本発明では、上述したように、回転軸が同一水平軸線上に位置するように対向して配置された一対のアンバランスウェイト式振動モ−タ５、５を同一回転方向に回転させることによってリサ−ジュ図形が略円を描くような振動を発生させるから、鋳枠付き砂鋳型Ｆを上下に振動させる（縦振動）方法で加振して鋳型バラシを行う従来の装置に比べ、解枠（鋳型バラシ）時間が短くて済むと共に砂鋳型の粉砕性能が向上する。これは、前記従来の装置における振動は、鋳枠と砂鋳型、及び、砂鋳型の砂粒同士の摩擦が上下（垂直）方向だけなのに対し、本発明の装置における振動では、鋳枠や砂鋳型に水平方向と垂直方向の二方向からなる振動が加わることによって、鋳枠と砂鋳型、及び、砂鋳型の砂粒同士に水平方向と垂直方向の二方向の摩擦が生じるため、従来の装置に比べ、該鋳枠と砂鋳型、及び、砂鋳型の砂粒同士の摩擦が激しいからである。
【００１６】
なお上述したように本発明は、従来の装置に比べ、解枠（鋳型バラシ）時間が短くて済むと共に砂鋳型の粉砕性能が向上するから、従来の装置に比べ、小さな容量の加振用駆動モ−タで済み、その結果、装置をコンパクトにすることができるため、装置の設置に必要なスペ−スが少なくて済む。
【００１７】
また本発明では、一対のアンバランスウェイト式振動モータ５、５が防振手段としての空気ばね３、３よりも下方に位置するように構成されているため、装置がさらにコンパクトになり、且つ、装置の設置に必要なスペ−スがさらに少なくて済む。
【００１８】
なお本発明の実施形態では、上述したように、崩壊された砂鋳型を開口部４ａ、４ａからホッパ２内に落下させ、砂排出口２ａから排出させるようにしているが、前記ホッパ２内に、前記受け部材４の開口部４ａより小さい面積の開口部を多数穿設した部材、又は、スリット状の開口部を多数穿設した部材を配設すると、前記開口部４ａ、４ａから落下する崩壊された砂鋳型をさらに細かく粉砕した状態で砂排出口２ａから排出できるため、好ましい。
【００１９】
また本発明の実施形態では、鋳枠付き砂鋳型Ｆを受け部材４上に載置させるようにしたが、これに限定されるものではなく、鋳枠から抜き出した砂鋳型を受け部材４上に載置させるようにしてもよい。
【００２０】
【発明の効果】
上記の説明から明らかなように本発明は、上部を開放させたホッパを吊設したフレ−ムと、該フレ−ムにおける支柱の途中位置に介在された防振手段と、多数の開口部を有すると共に前記ホッパの開放上部を覆うようにして配設された受け部材と、前記ホッパに連結され、回転軸が同一水平軸線上に位置するように対向して配置された一対のアンバランスウェイト式振動モ−タと、を具備し、前記一対のアンバランスウェイト式振動モ−タを同一回転方向に回転させることによってリサ−ジュ図形が略円を描くような振動を発生させるようにしたから、加振用駆動モ−タの容量を小さくすることができると共に装置の設置に必要なスペ−スが少なくて済む。また加振用駆動モ−タの容量を小さくすることができるため、大幅に省エネルギ−化できる等種々の効果がある。
【図面の簡単な説明】
【図１】本発明の実施形態を示す正面図である。
【図２】図１の左側面図である。
【図３】図１の平面図である。
【符号の説明】
１  フレ−ム
２  ホッパ
３  防振手段
４  受け部材
４ａ  開口部
５  アンバランスウェイト式振動モ−タ
【図１】
2004337876.tif 000003
【図２】
2004337876.tif 000004
【図３】
2004337876.tif 000005